【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
全力動作モード又はアイドルモードで動作可能な複数個の可換部品を備えるシステムにて実行され、各可換部品をその生涯に亘り監視する方法であって、
所定パラメタを用いシステム使用量を継続監視するステップと、
上記パラメタを用い各可換部品の期待寿命長を予め定めておくステップと、
アイドルモード時消耗量に見合った消耗係数を可換部品毎に予め定めておくステップと、
上記パラメタを用い可換部品毎に全力動作モード使用量及びアイドルモード使用量を継続監視するステップと、
上記パラメタを用い且つ消費済寿命＝（全力動作モード使用量）＋（アイドルモード使用量）×（消耗係数）の式に従い可換部品毎に消費済寿命を算出するステップと、
消費済寿命と期待寿命長とを可換部品毎に比較するステップと、
システム使用量が所定量増すたびに全可換部品について上記比較の結果をシステムオペレータに報告するステップと、
を有する方法。
【請求項２】
請求項１記載の方法であって、更に、何れかの可換部品について消費済寿命が期待寿命長以上になったら即座にシステムオペレータに通知する通知ステップを有する方法。
【請求項３】
複数通りあるマシン動作モードで動作させることができ、マシン動作モードに応じ全力動作モード又はアイドルモードで使用されその期待寿命長がそれぞれ定められている複数個の可換部品を有し、各可換部品のアイドルモード時消耗速度が低く全力動作モード時消耗速度に比して消耗係数倍であるマシンにて、各可換部品をその生涯に亘り監視するのに使用されるマシン制御システムであって、
ユーザインタフェースを介したマシンオペレータ入力に基づきマシン動作モードを判別するマシンモードコントローラと、
各マシン動作モードにおけるマシン使用量を所定パラメタを用いて継続監視する統計コントローラと、
マシンモードコントローラ及び統計コントローラに接続されメモリ内に格納されている各可換部品の消耗係数を利用する可換部品マネージャと、
を備え、可換部品マネージャが、マシンモードコントローラ及び統計コントローラからの信号に応じ且つ上記パラメタを用い可換部品毎に全力動作モード使用量及びアイドルモード使用量を継続監視し、各可換部品の消費済寿命を（消費済寿命）＝（全力動作モード使用量）＋（アイドルモード使用量）×（消耗係数）の式に従い算出し、各可換部品の消費済寿命をその期待寿命長と比較し、各可換部品の消費済寿命を周期的に且つ上記ユーザインタフェースを介しマシンオペレータに報告するマシン制御システム。
【手続補正２】
【補正対象書類名】明細書
【補正対象項目名】００２９
【補正方法】変更
【補正の内容】
【００２９】
ＭＭＣモードコントローラ３０６の主たる役割は、四色印刷モードや五色印刷モード等、所望のモードにおけるディジタルプリンタ１０３の適正サイクルアップである。ＭＭＣモードコントローラ３０６は、ディジタルプリンタ１０３のサイクルアップについての情報をＲＣマネージャ３０２に送る。ＲＣマネージャ３０２は、この情報から、印刷モジュール（図２中の２９１Ｂ、２９１Ｃ、２９１Ｍ、２９１Ｙ更には第５の印刷モジュールのうち何れか）がフルサイクルアップしたかどうか或いはアイドルモードにサイクルアップしたかどうかを、知ることができる。また、ＭＭＣモードコントローラ３０６は、第５の印刷モジュール（他の印刷モジュールについても同様）のサイクルアップの仕方を、ＤＦＥコントローラ１０４の印刷ポリシーに従い且つ印刷用カラーモジュールからＭＭＣ３００に送られてくる現像ステーション状態情報に基づき判断する。
以上の説明から明らかなとおり、本願は、全力動作モード又はアイドルモードで動作可能な複数個の可換部品を備えるシステムにて実行され、各可換部品をその生涯に亘り監視する方法であって、所定パラメタを用いシステム使用量を継続監視するステップと、上記パラメタを用い各可換部品の期待寿命長を予め定めておくステップと、アイドルモード時消耗量に見合った消耗係数を可換部品毎に予め定めておくステップと、上記パラメタを用い可換部品毎に全力動作モード使用量及びアイドルモード使用量を継続監視するステップと、上記パラメタを用い且つ消費済寿命＝（全力動作モード使用量）＋（アイドルモード使用量）×（消耗係数）の式に従い可換部品毎に消費済寿命を算出するステップと、消費済寿命と期待寿命長とを可換部品毎に比較するステップと、システム使用量が所定量増すたびに全可換部品について上記比較の結果をシステムオペレータに報告するステップと、を有する方法を開示している。
好適な態様では、更に、何れかの可換部品について消費済寿命が期待寿命長以上になったら即座にシステムオペレータに通知する通知ステップを有する。この場合、上記通知ステップが、更に、その消費済寿命が期待寿命長以上になった可換部品が交換されたかどうかを判別するステップと、交換された場合にその可換部品についての消費済寿命をゼロにリセットするステップと、を含むことが望ましい。また、この場合、上記システムが印刷装置であり、上記パラメタの一つが印刷ページ数であることが望ましい。上記パラメタの一つが印刷ページ種別であることも望ましい。上記パラメタの一つが印刷ページサイズであることも望ましい。上記パラメタの一つが色関連パラメタであることも望ましい。
さらに、本願は、複数通りあるマシン動作モードで動作させることができ、マシン動作モードに応じ全力動作モード又はアイドルモードで使用されその期待寿命長がそれぞれ定められている複数個の可換部品を有し、各可換部品のアイドルモード時消耗速度が低く全力動作モード時消耗速度に比して消耗係数倍であるマシンにて、各可換部品をその生涯に亘り監視するのに使用されるマシン制御システムであって、ユーザインタフェースを介したマシンオペレータ入力に基づきマシン動作モードを判別するマシンモードコントローラと、各マシン動作モードにおけるマシン使用量を所定パラメタを用いて継続監視する統計コントローラと、マシンモードコントローラ及び統計コントローラに接続されメモリ内に格納されている各可換部品の消耗係数を利用する可換部品マネージャと、を備え、可換部品マネージャが、マシンモードコントローラ及び統計コントローラからの信号に応じ且つ上記パラメタを用い可換部品毎に全力動作モード使用量及びアイドルモード使用量を継続監視し、各可換部品の消費済寿命を（消費済寿命）＝（全力動作モード使用量）＋（アイドルモード使用量）×（消耗係数）の式に従い算出し、各可換部品の消費済寿命をその期待寿命長と比較し、各可換部品の消費済寿命を周期的に且つ上記ユーザインタフェースを介しマシンオペレータに報告するマシン制御システムも開示している。
好適な態様では、上記ユーザインタフェースがグラフィカルユーザインタフェースである。この場合、マシン使用量が所定量増すたびに上記報告を行うことが望ましい。また、可換部品マネージャが更に、何れかの可換部品について消費済寿命が期待寿命長以上になったら即座にシステムオペレータに通知することも望ましい。また、可換部品マネージャが更に、その消費済寿命が期待寿命長以上になった可換部品が交換されたかどうかを判別し、交換された場合にその可換部品についての消費済寿命をゼロにリセットすることも望ましい。また、上記マシンが印刷装置であり、上記パラメタの一つが印刷ページ数であることも望ましい。また、上記パラメタの一つが印刷ページ種別であることも望ましい。また、上記パラメタの一つが印刷ページサイズであることも望ましい。また、上記パラメタの一つが色関連パラメタであることも望ましい。